(57)【要約】【課題】運動者に運動療法を続けようとするモチベーションを高める運動療法装置を提供する。【解決手段】運動療法装置は、コンテンツを再生するＡＶ機器および運動によるトルクが加わったとき回転する回転軸を具備し、回転軸の回転速度を検出する回転速度検出手段と、コンテンツのメニューを表示するとともにＡＶ機器が再生したコンテンツを表示する表示手段と、回転軸が回転しているときコンテンツのメニューを順次表示手段に表示するとともに表示手段に表示されているメニューが外部から選択されたときＡＶ機器で再生するメニューとして確定するメニュー選択手段と、ＡＶ機器でコンテンツを所定の一定の速度または可変速で再生することを設定する再生速度設定手段と、を備え、ＡＶ機器は、回転軸が回転しているとき、設定された所定の一定の速度または可変速でコンテンツを再生し、回転軸が停止しているとき、コンテンツの再生を停止する。【選択図】図１
2008194443.tif 000002
【特許請求の範囲】
【請求項１】
コンテンツを再生するＡＶ機器および運動によるトルクが加わったとき回転する回転軸を備える運動療法装置において、
上記回転軸の回転速度を検出する回転速度検出手段と、
コンテンツのメニューを表示するとともに上記ＡＶ機器が再生したコンテンツを表示する表示手段と、
上記回転軸が回転しているときコンテンツのメニューを順次上記表示手段に表示するとともに上記表示手段に表示されているメニューが外部から選択されたとき上記ＡＶ機器で再生するメニューとして確定するメニュー選択手段と、
上記ＡＶ機器でコンテンツを所定の一定の速度または可変速で再生することを設定する再生速度設定手段と、
を備え、
上記ＡＶ機器は、上記回転軸が回転しているとき、設定された所定の一定の速度または可変速でコンテンツを再生し、上記回転軸が停止しているとき、コンテンツの再生を停止することを特徴とする運動療法装置。
【請求項２】
上記ＡＶ機器は、可変速でコンテンツを再生することが設定された場合、上記回転軸の回転速度に従った速度でコンテンツを再生することを特徴とする請求項１に記載の運動療法装置。
【発明の詳細な説明】
【技術分野】
【０００１】
この発明は、スポーツ選手、整形外科術後運動者または脳血管障害運動者などが運動療法において用いる運動療法装置に関するものである。
【背景技術】
【０００２】
従来の運動療法装置の一例としてのランニングマシンは、ランニングマシンの走行用エンドレスベルトを駆動する駆動装置と、駆動装置の動作速度および表示装置に出力するデータベースの映像情報を選択する操作パネルを設け、駆動装置の動作速度に連動した映像を表示出力する処理を担う制御部によって、表示装置に映像を表示する風景表示装置を有するように構成されている。
【０００３】
このランニングマシンでは、駆動装置により駆動される走行用エンドレスベルトによりランニング状態になると、駆動装置の動作速度および表示装置に出力するデータベースの映像情報を選択する操作パネルにより、駆動装置の動作速度に連動した映像を表示出力する処理を担う制御部によって、表示装置に映像を表示することにより、運動者のランニングを継続しようとするモチベーションを高め、運動が継続するように仕向けている。
このように運動者の好みの映像を見ることができるので、運動を継続しようとするモチベーションを確保するのに効果的な方法である（例えば、特許文献１参照）。
【０００４】
【特許文献１】特開２００５−７４２１１号公報
【発明の開示】
【発明が解決しようとする課題】
【０００５】
従来の運動療法装置は、ランニングの速度が遅いときには映し出される映像内の背景の移り変わりも遅くなり、運転者に臨場感を与える効果があるが、一般的な映画や音楽を正常な再生速度で見ながら運動することができない。
従って、ランニングの速度が遅くなっても、逆に速くなってもともに正常な再生速度であらゆるコンテンツを再生することができない。
このため、運動者が運動中に見ることができる映像は限られたものであり、モチベーションを持続するのが困難な状況である。
【０００６】
この発明の目的は、運動者に運動療法を続けようとするモチベーションを高める運動療法装置を提供することである。
【課題を解決するための手段】
【０００７】
この発明に係る運動療法装置は、コンテンツを再生するＡＶ機器および運動によるトルクが加わったとき回転する回転軸を備える運動療法装置において、上記回転軸の回転速度を検出する回転速度検出手段と、コンテンツのメニューを表示するとともに上記ＡＶ機器が再生したコンテンツを表示する表示手段と、上記回転軸が回転しているときコンテンツのメニューを順次上記表示手段に表示するとともに上記表示手段に表示されているメニューが外部から選択されたとき上記ＡＶ機器で再生するメニューとして確定するメニュー選択手段と、上記ＡＶ機器でコンテンツを所定の一定の速度または可変速で再生することを設定する再生速度設定手段と、を備え、上記ＡＶ機器は、上記回転軸が回転しているとき、設定された所定の一定の速度または可変速でコンテンツを再生し、上記回転軸が停止しているとき、コンテンツの再生を停止する。
【発明の効果】
【０００８】
この発明に係る運動療法装置の効果は、見たいまたは聞きたいコンテンツを選択するためのメニューは運動者がペダルを漕いでいるときだけ表示装置に順送りに表示されるので、自分が見たいまたは聞きたいコンテンツを探したいという欲求に基づき運動療法を続けるモチベーションが高まる。
【発明を実施するための最良の形態】
【０００９】
実施の形態１．
図１は、この発明の実施の形態１に係るエルゴバイクの斜視図である。図２は、この発明の実施の形態１に係る制御装置のブロック図である。
この発明の実施の形態１に係る運動療法装置としてエルゴバイク１を例に挙げて説明するが、ペダルの漕ぐ速度、ベルトの走行速度など運動の強度にともなって変化する速度で動かされる物を具備する運動療法装置であれば本発明を適用することができる。
この発明の実施の形態１に係るエルゴバイク１は、サドル２に載っかった運動者が漕ぐペダル３に連結され、回転方向と逆方向に機械的な負荷が加わるペダル回転軸４を備える負荷装置５、ペダル回転軸４の回転速度を検出する回転検出手段としての回転速度計６、コンテンツを再生するＡＶ機器７、ＡＶ機器７で再生したコンテンツを表示する表示手段としての表示装置８、エルゴバイク全体を制御する制御装置９を備える。
【００１０】
この発明に関するコンテンツは、２種類に分けられる。例えばストーリーがある映画やリズムがある楽曲など再生速度を一定に保つことが必要な定速コンテンツと、例えば背景画など再生速度を可変しても違和感のない可変速コンテンツの２種類である。
ＡＶ機器７は、ＤＶＤやＣＤなどＡＶ記憶媒体に記憶されているコンテンツや、インターネットを介してオンラインでダウンロードされるコンテンツを再生してＡＶ信号として表示装置８に入力する。
また、ＡＶ機器７は、定速再生の指令が入力されたとき定速でコンテンツを再生し、可変速再生の指令が入力されたときペダル回転軸４の回転速度に従って再生速度を可変して再生する。
表示装置８は、液晶ディスプレイパネル、プラズマディスプレイパネルなど如何なる種類のものであっても良い。
【００１１】
制御装置９は、コンテンツのメニューを記憶する記憶手段２１、ペダル回転軸４の回転に連動してコンテンツのメニューを表示し運動者がコンテンツのメニューからコンテンツを選択できるようにするメニュー選択手段２２、メニュー選択手段２２で選択されたコンテンツに対して操作パネル１１を用いてコンテンツの再生速度を設定する再生速度設定手段２３、定速コンテンツが選択されている場合ペダル回転軸４の回転が停止したとき一時停止信号を出力する一時停止手段１３、表示装置８に表示入切信号を送信する表示入切手段１４を有する。
この制御装置９は、ＣＰＵ、ＲＯＭ、ＲＡＭ、インターフェース回路からなるコンピュータで構成される。
【００１２】
記憶手段２１は、映画、背景画などのコンテンツのメニューが記憶されている。
メニュー選択は、操作パネル１１に設けられている図示しないメニュー選択ボタンを押した後ペダル３を踏むことにより順次コンテンツのメニューが表示装置８に送られる。コンテンツのメニューが送られた表示装置８では表示するコンテンツのメニューを更新する。
メニューを確定するには、希望のメニューが表示装置８に表示されているときに、操作パネル１１に設けられている図示しない確定ボタンを押すことにより確定する。
メニューを変更するには、操作パネル１１に設けられている図示しないメニュー解除ボタンを押し、再度メニュー選択ボタンを押すことから行われる。
【００１３】
再生速度設定手段２３は、メニュー選択手段２２で選択したコンテンツに対応して運動者が操作パネル１１からコンテンツの再生速度を設定する。定速コンテンツを選択したときには、ＡＶ機器７に所定の一定の速度でコンテンツを再生するように指令する。また、可変速コンテンツを選択したときには、ＡＶ機器７にペダル回転軸４の回転速度に従った再生速度でコンテンツを再生するように指令する。
例えば、コンテンツに映画が選択された場合は、所定の一定の速度で映画を再生するよう、背景画が選択された場合は、可変速で背景画を再生するように指令する。
【００１４】
一時停止手段１３は、定速コンテンツが選択されたとき動作し、ペダル回転軸４の回転速度が所定の値を超えるときＡＶ機器７にコンテンツの再生を指令し、ペダル回転軸４の回転速度が所定の値以下のときＡＶ機器にコンテンツの再生の停止を指令する。なお、所定の値は、ペダル回転軸４が回転していないときを判断する零であるが、これに限るものではなく、適宜設定すれば良い。
表示入切手段１４は、定速コンテンツが選択され、コンテンツの再生が指令されたとき、表示装置８の電源を入れるように指令し、コンテンツの再生の停止が指令されたとき、表示装置８の電源を切るように指令する。
また、表示入切手段１４は、可変速コンテンツが選択されたとき、表示装置８の電源を入れるように指令する。
【００１５】
次に、この発明の実施の形態１に係わるエルゴバイク１の動作について説明する。
運動者がペダル３を漕ぎながら操作パネル１１に設けられているメニュー選択ボタンを押すと表示装置８にコンテンツのメニューが順次表示される。そして、見たいまたは聞きたいメニューを運動者が見つけたら運動者は操作パネル１１に設けられている確定ボタンを押すとメニューが確定される。
また、確定したメニューの再生モードを操作パネル１１に設けられた図示しない定速モードボタンまたは図示しない可変速モードボタンを押すことにより確定する。
【００１６】
最初に、定速コンテンツが選択されたときの動作について説明する。
定速コンテンツが選択されたので、一時停止手段１３はペダル回転軸４の回転速度を回転速度計６から取得するが、回転していないので停止していると判断し、ＡＶ機器７に再生の停止を指令する。また、表示入切手段１４は、一時停止手段１３がＡＶ機器７に再生の停止を指令したので、表示装置８に電源を切るように指令する。
【００１７】
運動者がペダル３を漕ぎはじめると、ペダル回転軸４が回転し、一時停止手段１３はペダル回転軸４の回転速度を回転速度計６から取得し、回転しているので回転していると判断し、ＡＶ機器７に再生を指令する。また、表示入切手段１４は、一時停止手段１３がＡＶ機器７に再生を指令したので、表示装置８に電源を入れるように指令する。このように、運動者がペダル３を漕ぎ始めると、コンテンツが定速で再生され、表示される。
【００１８】
運動者がペダル３を漕ぐことを止めると、一時停止手段１３はペダル回転軸４の回転が停止したと判断し、一時停止信号をＡＶ機器７に出力する。ＡＶ機器７は一時停止信号に従いコンテンツの再生を一時停止する。同時に、表示入切手段１４は、一時停止手段１３がＡＶ機器７に再生の停止を指令したので、表示装置８に電源を切るように指令する。このようにして、運動者がペダル３を漕ぐことを停止したとき、表示装置８の画面が消える。
【００１９】
次に、可変速コンテンツが選択されたときの動作について説明する。
可変速コンテンツが選択されたので、再生速度設定手段２３は、可変速再生をＡＶ機器７に指令する。また、表示入切手段１４は、可変速コンテンツが選択されているので、表示装置８に電源を入れるように指令する。また、ＡＶ機器７は、可変速再生が指令されているので、選択された可変速コンテンツを再生する。このとき、ペダル３が漕がれていないと回転速度は零であるので表示装置８には静止画が表示されている。ペダル３が漕ぎはじめられると、回転速度に従って画面が変化していく。
【００２０】
この発明の実施の形態１に係るエルゴバイク１では、見たいまたは聞きたいコンテンツを選択するためのメニューは運動者がペダル３を漕いでいるときだけ表示装置８に順送りに表示されるので、自分が見たいまたは聞きたいコンテンツを探したいという欲求に基づき運動療法を続けるモチベーションが高まる。
また、定速コンテンツを選択した場合ペダル３を漕がないと再生されないので、定速コンテンツが例えば映画であればストーリーの最後まで見たいという目標が明確になり、これらの欲求に基づき運動療法を続けるモチベーションが高まる。
また、可変速コンテンツを選択した場合ペダル３を漕がないと静止画になるので、可変速コンテンツが例えば風景画であれば目標の地点まで見たいという目標が明確になり、これらの欲求に基づき運動療法を続けるモチベーションが高まる。
【００２１】
また、可変速コンテンツを再生するとき、画面がペダル回転軸４の回転速度に従って変化し、ペダル３を速く漕ぐと画面が速く変化するので、自転車に乗っていることを実感することができる。
【００２２】
また、通常のＤＶＤに録画された映画やＣＤに録音された音楽を利用でき、コンテンツの数は膨大なものになるので、１人１人の運動者にとって関心のある映像や音楽を楽しみながら運動を継続できる。
【００２３】
また、コンテンツの入手先としてインターネットを経由して映画などのあらゆるジャンルのコンテンツをダウンロードして利用できるので、１人１人の運動者にとって関心のある映像や音楽を楽しみながらさらに運動を継続できる。
【図面の簡単な説明】
【００２４】
【図１】この発明の実施の形態１に係わるエルゴバイクを表す斜視図である。
【図２】この発明の実施の形態１に係わる制御装置のブロック図である。
【符号の説明】
【００２５】
１  エルゴバイク、２  サドル、３  ペダル、４  ペダル回転軸、５  負荷装置、６  回転速度計、７  ＡＶ機器、８  表示装置、９  制御装置、１１  操作パネル、１３  一時停止手段、１４  表示入切手段、２１  記憶手段、２２  メニュー選択手段、２３  再生速度設定手段。
【図１】
2008194443.tif 000003
【図２】
2008194443.tif 000004